(57)【特許請求の範囲】
【請求項１】
傾斜面を有する基体の前記傾斜面上に傾斜方向に沿って複数の太陽電池モジュールが並んで配置されており、前記複数の太陽電池モジュールのうち前記傾斜面の最下部に位置している太陽電池モジュールの一側部が支持レールに収容され、該支持レールが前記基体に対して固定されている太陽電池アレイであって、
前記支持レールは、前記太陽電池モジュールの前記一側部が収容されたレール溝と、該レール溝の長手方向に沿って該レール溝の反対側に該レール溝に隣接して設けられた閉断面の中空部とを有していて、
前記支持レールは、前記基体の前記傾斜面上に固定された、傾斜方向に長い複数の支持台を介して固定されていることを特徴とする太陽電池アレイ。
【請求項２】
前記中空部は、前記レール溝の長手方向に対して直交する方向で切断した断面が四角形状であることを特徴とする請求項１記載の太陽電池アレイ。
【請求項３】
前記支持レールは、前記レール溝の開口部に、前記太陽電池モジュールの前記一側部を前記レール溝内に誘導する傾斜面を有していることを特徴とする請求項１または２に記載の太陽電池アレイ。
【請求項４】
前記支持レールの表面に、前記レール溝の長手方向に沿って、雪止め用の突出部が設けられていることを特徴とする請求項１乃至３のいずれかに記載の太陽電池アレイ。
【発明の詳細な説明】
【技術分野】
【０００１】
本発明は、少なくとも複数の太陽電池モジュールを有する太陽電池アレイに関する。
【背景技術】
【０００２】
太陽電池アレイは、例えば、架台と該架台に固定された複数の太陽電池モジュールとを有している。一般には住宅の屋根に長尺の構造部材が架台として設置され、この架台上に太陽電池モジュールの相対する辺が全長に渡って固定される。
【０００３】
また、施工の簡略化を図るために、太陽電池モジュールの角部を小型の固定部材で架台に固定する構成を有する太陽電池アレイが提案されている（例えば、下記の特許文献１および特許文献２を参照）。
【先行技術文献】
【特許文献】
【０００４】
【特許文献１】特開平３−１９９５６６号公報
【特許文献２】特開平１１−１５９０９１号公報
【発明の概要】
【発明が解決しようとする課題】
【０００５】
上記特許文献の太陽電池アレイは、太陽電池モジュールの角部を点固定により屋根等の傾斜面に固定する構造である。このため、太陽電池アレイの軒先側は全体の積雪が溜まって、その後滑雪したり、軒先側に溜まった雪が夜間に再氷結して、太陽電池アレイの軒先側を数百kgfもの荷重に引っ張るおそれがあり、さらには、隣家などへの落雪するなどのおそれもある。
【０００６】
そこで、これらによる破損および事故を避けるために、軒先側で多量の雪がとどまることに耐えうる、または軒先側で多量の雪を止めることができるようにしなければならない。
【０００７】
また、積雪による大きな荷重が加わると、軒先側の太陽電池モジュールおよび架台にねじり変形が生じて、太陽電池モジュールのフレームから太陽電池パネルが脱落したり、架台から太陽電池モジュールが脱落するおそれがある。このため、太陽電池アレイの軒先側のねじり剛性を向上させる必要がある。
【０００８】
本発明は上述した課題に鑑みてなされたものであり、その目的は軒先側の強度を効率的に高めることができ、意匠性を高めた太陽電池アレイを高い施工性で提供することにある。
【課題を解決するための手段】
【０００９】
本発明の太陽電池アレイは、傾斜面を有する基体の前記傾斜面上に傾斜方向に沿って複数の太陽電池モジュールが並んで配置されており、前記複数の太陽電池モジュールのうち前記傾斜面の最下部に位置している太陽電池モジュールの一側部が支持レールに収容され、該支持レールが前記基体に対して固定されている太陽電池アレイであって、前記支持レールは、前記太陽電池モジュールの前記一側部が収容されたレール溝と、該レール溝の長手方向に沿って該レール溝の反対側に該レール溝に隣接して設けられた閉断面の中空部とを有していて、前記支持レールは、前記基体の前記傾斜面上に固定された、傾斜方向に長い複数の支持台を介して固定されていることを特徴とする太陽電池アレイ。
【発明の効果】
【００１０】
上記構成の太陽電池アレイによれば、最下部の太陽電池モジュールにおいて、支持レー
ルと太陽電池モジュールの一側部を構造的に一体化することができるので、ねじり方向の荷重を受けた場合でもねじり剛性を高めることができる。
【００１１】
これにより、例えば太陽電池アレイの軒側において、例えば太陽電池パネルのフレームからの脱落、および、太陽電池モジュールの太陽電池アレイからの脱落を抑制して、積雪に対する耐荷重性能を向上した太陽電池アレイとすることができる。
【図面の簡単な説明】
【００１２】
【図１】本発明の一実施形態に係る太陽電池アレイを基体の傾斜面上に設置した様子を示す図であり、（ａ）は太陽電池アレイを受光面側から見た斜視図であり、（ｂ）は図１（ａ）のＡ部の部分拡大図である。
【図２】本発明の一実施形態に係る太陽電池アレイを構成する太陽電池モジュールを示す図であり、（ａ）は太陽電池モジュールを受光面側から見た平面図であり、（ｂ）は図２（ａ）のＢ−Ｂ’断面を示す断面図である。
【図３】本発明の一実施形態に係る太陽電池アレイの断面図であり、（ａ）は図１（ｂ）のＣ−Ｃ’断面を示す断面図であり、（ｂ）は図１（ｂ）のＤ−Ｄ’断面を示す断面斜視図である。
【図４】本発明の一実施形態に係る太陽電池アレイを示す図であり、（ａ）は図１（ａ）のＡ部の分解斜視図であり、（ｂ）は係合部材を異なる方向から見た斜視図であり、（ｃ）は支持台を異なる方向から見た斜視図である。
【図５】本発明の一実施形態に係る太陽電池アレイの固定部材の図であり、（ａ）は斜視図を示し、（ｂ）は図５（ａ）のＥ−Ｅ’断面を示す断面図である。
【図６】本発明の他の実施形態に係る太陽電池アレイの部分を示す図であり、（ａ）は斜視図、（ｂ）は分解断面図、（ｃ）は断面図である。
【図７】ねじり定数を計算するときに用いるパラメータを表示した図面である。
【発明を実施するための形態】
【００１３】
以下、本発明に係る太陽電池アレイの実施形態について図面を参照しつつ詳細に説明する。
【００１４】
＜＜第１実施形態＞＞
＜太陽電池アレイ＞
図１に示すように、太陽電池アレイ１は、葺板２ａ、野地板２ｂおよび垂木２ｃからなる傾斜面（設置面）を有する基体２上に固定される。そして、太陽電池アレイ１は、基体２の傾斜方向に沿って間隔をあけて配列された複数の太陽電池モジュール３と、隣り合う太陽電池モジュール３の角部を基体２に固定する固定部材４と、最下部に配置された太陽電池モジュール３の軒側フレーム１２ｅを固定する軒側部材５を備えている。
【００１５】
なお、以下、基体２の傾斜方向をｙ軸方向、基体２に対する法線方向をｚ軸方向、ｙ軸方向およびｚ軸方向と直交する方向をｘ軸方向という。また、ｙ軸方向に隣り合う太陽電池モジュール３のうち、最下部（最も軒先側）に位置する太陽電池モジュールを第１太陽電池モジュール３ａといい、最下部以外に位置する太陽電池モジュールを第２太陽電池モジュール３ｂというものとする。
【００１６】
＜太陽電池モジュール＞
図１に加えて、図２を用いて、太陽電池モジュール３について説明する。複数の太陽電池モジュール３は、図１（ａ）に示すように、ｙ軸方向に沿って配列されるとともに、ｘ軸方向に沿っても配列されている。そして、各太陽電池モジュール３は、図２（ａ）、（ｂ）に示すように、太陽電池パネル１１と、この太陽電池パネル１１の外縁部を補強するフレーム１２とを有している。
【００１７】
太陽電池パネル１１は、図２（ｂ）に示すように、主として光を受光する受光面１１ａ（透光性基板１４の一主面）とこの受光面１１ａの裏面に相当する非受光面１１ｂ（裏面保護部材１３の一主面）とを有している。そして、太陽電池パネル１１は、受光面１１ａ側から順に、太陽電池モジュール３の基板を兼ねる透光性基板１４と、熱硬化性樹脂よりなる一対の封止材１５と、封止材１５に周囲を保護されインナーリード１６とにより、電気的に接続された複数の太陽電池素子１７とを備えている。
【００１８】
さらに、太陽電池パネル１１は、太陽電池モジュール３の裏面を保護する裏面保護部材１３と、太陽電池素子１７で得られた出力を外部に取り出すための端子ボックス１８とを備えている。
【００１９】
なお、非受光面１１ｂは、例えば、裏面保護部材１３および太陽電池素子１７と裏面保護部材１３との間に位置する封止材１５を、透光性を有するような材質で形成することにより、非受光面１１ｂ側から入射される光の一部を受ける形態であってもよい。
【００２０】
太陽電池素子１７は、例えば、単結晶シリコンまたは多結晶シリコン等からなる平板状の基板が用いられる。このようなシリコン基板を用いる場合は、上述したように、インナーリード１６で隣接するシリコン基板同士を電気的に接続すればよい。
【００２１】
また、太陽電池素子１７の種類は特に制限されず、例えば、アモルファスシリコンよりなる薄膜太陽電池、ＣＩＧＳ太陽電池、ＣｄＴｅ太陽電池、または、結晶シリコン基板上に薄膜アモルファスを形成した太陽電池素子１７等を用いてもよい。例えば、アモルファスシリコン、ＣＩＧＳおよびＣｄＴｅよりなる太陽電池素子１７としては、透光性基板１４上において、アモルファスシリコン層、ＣＩＧＳ層またはＣｄＴｅ層を透明電極等と組み合わせて適宜積層するようにしたものが利用できる。
【００２２】
また、端子ボックス１８は、変性ポリフェニレンエーテル樹脂（変性ＰＰＥ樹脂）またはポリフェニレンオキサイド樹脂（ＰＰＯ樹脂）の箱体と、該箱体内に配置されるターミナル板と、箱体の外部へ電力を導出する出力ケーブルとを備える。
【００２３】
フレーム１２は、太陽電池パネル１１を保持する機能を有する。フレーム１２は、後述する太陽電池アレイ１の設置の際に、太陽電池パネル１１と嵌合する嵌合部１２ａと、太陽光を受光する側に位置するフレーム上面１２ｂと、フレーム上面１２ｂの裏面側に位置するフレーム下面１２ｃと、フレーム上面１２ｂとフレーム下面１２ｃを接続し外向するフレーム側面１２ｄとを備える。このようなフレーム１２は、アルミニウムを押し出し成形すること等により製造することができる。
【００２４】
なお、以下、太陽電池アレイ１を構成する太陽電池モジュール３において、軒側に位置するフレーム１２を軒側フレーム１２ｅというものとする。
【００２５】
＜軒側部材＞
次に、図１に加えて、図３〜図４を用いて第１太陽電池モジュール３ａの軒先側を固定する軒側部材５について詳述する。
【００２６】
図１、図３〜図４に示すように、太陽電池アレイ１は、基体２に粘着部材２０を介して木ねじ２１で固定された支持台であるベース部材２２上に、支持レール２３を締結部材２４と係合部材２５で固定した軒側部材５を用いている。このように、支持レール２３は、基体２の傾斜面上に固定された、傾斜方向に長い複数のベース部材２２を介して固定されている。支持レール２３のレール溝２３ａに第１太陽電池モジュール３ａの軒側フレーム
１２ｅを嵌入して固定することで太陽電池アレイ１が構成される。つまり、図１（ｂ）に示すように、傾斜面を有する基体２の傾斜面上に傾斜方向に沿って複数の太陽電池モジュールが並んで配置されている太陽電池アレイにおいて、複数の太陽電池モジュールのうち傾斜面の最下部に位置している第１太陽電池モジュール３ａの一側部が支持レール２３に収容され、この支持レール２３が基体２に対して固定されている。
【００２７】
図１（ｂ）に示すように、支持レール２３は、ｘ軸方向が長手方向であり、一枚から複数枚の太陽電池モジュール３のｘ軸方向長さと略同じ長さの長尺体である。支持レール２３は太陽電池モジュール３の軒側フレーム１２ｅと相対する方向に開口したレール溝２３ａを有する。レール溝２３ａのｚ軸方向幅は、軒側フレーム１２ｅのｚ軸方向長さと略同じであり、軒側フレーム１２ｅをレール溝２３ａに嵌入することにより、太陽電池モジュール３を支持レール２３に固定することができる。また、支持レール２３はレール溝２３ａの反対側に張り出した被挟持部２３ｂを有する。被挟持部２３ｂは後述のベース部材２２と係合部材２５で挟持されることで、ベース部材２２上に固定されることができる。さらに、支持レール２３は、レール溝２３ａに隣接した中空部２３ｃを有してもよい。中空部２３ｃは支持溝の軒側に隣接して配置された閉断面である。このように、支持レール２３は、太陽電池モジュール３ａの一側部が収容されたレール溝２３ａと、本体にレール溝２３ａの長手方向に沿って設けられた中空部２３ｃとを有しているとよい。また、この中空部２３ｃは後述するように、レール溝２３ａの長手方向に対して直交する方向で切断した断面が四角形状であるとよい。特に、図示のように、軒側が傾斜した台形状とすると意匠性の観点からもよい。
【００２８】
ベース部材２２は、主面２２ａに木ねじ２１を挿通することができる貫通孔２２ｂを有し、この貫通孔２２ｂを用いて木ねじ２１で基体２に固定される。主面２２ａは、ベース部材２２の長手方向に沿って凹凸を設けられ、特に貫通孔２２ｂの部分は凹状であることが好ましい。このように主面２２ａに凹凸が設けられたことで、軒側部材５に自重、積雪荷重または風圧荷重等が加わったときに、ベース部材２２の周囲に粘着部材２０がはみ出すことを低減し、木ねじ２１の周囲に適切な厚みの粘着部材２０を残して浸水を抑制することができる。ベース部材２２は、略コ字型断面の開口の両側から張り出した載置部２２ｃを有し、そして、載置部２２ｃの間に間隙２２ｄを有する。載置部２２ｃが支持レール２３を支える。さらにベース部材２２は、その側面に後述の係合部材２５のストッパー部２５ａと係合する第１凸部２２ｅを有する。
【００２９】
係合部材２５は、締結部材２４が挿通するＵ字孔２５ｂと、ベース部材２２と協働して支持レール２３を挟持する挟持部２５ｃと、ベース部材２２の側面に設けられた第１凸部２２ｅと係合するストッパー部２５ａを有する。係合部材２５の挟持部２５ｃは、支持レール２３の被挟持部２３ｂの凹部２３ｄと係合する第２凸部２５ｄを有する。
【００３０】
そして図４に示すように、係合部材２５は締結部材２４によりベース部材２２の載置部２２ｃに固定される。そして締結部材２４を締め付けることにより、支持レール２３の凹部２３ｄと係合部材２５の第２凸部２５ｄが係合しつつ、支持レール２３の被挟持部２３を、ベース部材２２の載置部２２ｃと係合部材２５で挟持することで、支持レール２３をベース部材２２上に固定することができる。またベース部材２２の第１凸部２２ｅとストッパー部２５ａが係合することにより、支持レール２３の落下を抑制することができる。
【００３１】
このようなベース部材２２と係合部材２５と支持レール２３とは、アルミニウム合金などの金属を押し出し加工して製造されることができる。アルミニウム合金以外の材質を用いる場合、ステンレスまたはメッキ鋼板をロールフォーミングまたはベンダー曲げ加工して製造されることができる。
【００３２】
また締結部材２４は、ボルト２４ａとボルト止め２４ｂよりなる。ボルト２４ａが係合部材２５のＵ字孔２５ｂを挿通して、ベース部材２２の間隙２２ｄより内側でボルト止め２４ｂと固定される。このような締結部材２４は耐食性の観点から、ステンレス、または溶融亜鉛メッキを施した鉄鋼などより構成することができる。また、ボルト止め２４ｂは、プレス加工またはタップ加工により製造することができる。
【００３３】
木ねじ２１は、ベース部材２２の貫通孔２２ｂを挿通して、ベース部材２２を基体２に固定する働きをする。木ねじ２１の材質としては、同様にステンレス製、または溶融亜鉛メッキをした鉄鋼製の木ねじ２１を用いるとよい。
【００３４】
粘着部材２０は、ベース部材２２と基体２の間を封止して木ねじ２１から雨水が基体２の内側に浸水することを抑制する機能をもち、木ねじ２１はベース部材を基体２に固定する機能をもつ。また、粘着部材２０は、ベース部材２２の主面２２ａに貼付して用い、基体２に粘着する。これにより、粘着部材２０は、ベース部材２２を基体２に固定したときに、木ねじ２１の固定部の周囲を雨水および湿気から保護する働きをする。粘着部材２０としては、粘着性を有する例えばシリコンシーラントまたはブチルなどのシートを短冊状に切り出して用いることができる。
【００３５】
軒側部材５および軒側部材５へ第１太陽電池モジュール３ａを固定する施工方法は、まずベース部材２２を基体２上の任意の位置に粘着部材２０を介して木ねじ２１で固定する。ベース部材２２を固定する位置としては、ベース部材２２の固定強度を高くするために、ベース部材２２を固定する木ねじ２１が基体２の垂木にあたる位置とすることが好ましい。次に、係合部材２５をベース部材２５上に締結部材２４で緩く取り付ける。その後、係合部材２５の挟持部２５ｃとベース部材２２の載置部２２ｃの間に支持レール２３の被挟持部２３ｂを差込み、支持レール２３の２３ｄ凹部と係合部材２５の第２凸部２５ｄを係合させて締付部材２４を締め込み支持レール２３を固定する。次に、支持レール２３のレール溝２３ａに太陽電池モジュール３の軒側フレーム１２ｅを差し込んで固定する。
【００３６】
太陽電池アレイ１は、支持レール２３のレール溝２３ａに第１太陽電池モジュール３ａの軒側フレーム１２ｅを嵌入して固定する構造であることから、積雪が太陽電池アレイ１の軒側に堆積して、軒側部材５および第１太陽電池モジュール３ａの軒側フレーム１２ｅにねじり方向の荷重が加わったときに、支持レール２３と軒側フレーム１２ｅが一体的にねじり変形することができる。これにより、太陽電池アレイ３の軒先側のねじり剛性を向上して、ねじり変形を抑制し、軒側フレーム１２ｅからの太陽電池パネル１１の脱落、および、太陽電池アレイ１からの第１太陽電池モジュール３の脱落を抑制することができる。ひいては、太陽電池アレイ１の積雪に対する耐荷重の性能が向上して、重積雪地域における太陽電池アレイ１の信頼性を向上することができる。
【００３７】
また、前述のとおり、支持レール２３はレール溝２３ａの反対側の面に、レール溝２３ａと隣接して中空部２３ｃを配置した構造としてもよい。中空部２３ｃは部材断面が閉合した閉断面であることから、支持レール２３のねじり剛性を効果的に高め、太陽電池アレイ１の耐荷重の性能を向上することができる。
【００３８】
また、第１太陽電池モジュール３ａの軒側が支持レール２３に沿ってｘ軸方向に整列して配置されることから、外観から最も見えやすい軒先部分が揃って見えることで、意匠性を向上させることができる。
【００３９】
また、ベース部材２２と係合部材２５で支持レール２３を挟持した構造であることから、支持レール２３は、その長手方向に沿って移動することができる。これにより、ベース部材２２を支持レール２３の任意に配置して固定することができる。例えば、太陽電池ア
レイ１の取り付け強度を高めるために、ベース部材２２を木ねじ２１で基体２の垂木に固定することができ、太陽電池アレイ１の信頼性を向上させることができる。
【００４０】
さらに、支持レール２３のレール溝２３ａに向けて棟側から第１太陽電池モジュール３ａの軒側フレーム１２ｅを差し込むという施工方法であることから、太陽電池モジュール３の上側に乗ることなく施工することができ、太陽電池素子１７のクラックなどを生じることなく施工することができ、施工性がよい。
【００４１】
＜固定部材＞
次に、図５を用いて、固定部材４について説明する。
【００４２】
固定部材４は、太陽電池モジュール３を屋根（架台）に固定できればよく、その構成は特に限定されない。本実施形態においては、例えば、固定部材４は、図５（ｂ）に示すように、下部材３１と、中部材３２と、上部材３３と、第２締結部材３４と、第２木ねじ３５と、第２粘着部材３６とを備える。このような固定部材４を用いて、ｙ軸方向に隣り合う２つの太陽電池モジュール３の角部のフレーム１２を上部材３３と中部材３２で挟持して固定する。
【００４３】
具体的には、図５（ａ）、（ｂ）に示すように、下部材３１と中部材３２と上部材３３とは、締結部材３４によって一体化されている。そして、下部材３１がフレーム下面１２ｃと当接して、中部材３２がフレーム上面１２ｂと当接する。これにより、隣り合う太陽電池モジュール３は、固定部材４によって挟持されて固定される。さらに、固定部材４の下部材３１は、第２木ねじ３５によって基体２に固定されている。これにより、固定部材４によって、隣り合う太陽電池モジュール３は、互いに固定された状態で、基体２に固定される。
【００４４】
＜＜第２実施形態＞＞
次に、第２実施形態に係る太陽電池アレイについて、図６（ａ）を用いて説明する。
【００４５】
図６（ａ）に示すように、第２実施形態の太陽電池アレイは、支持レール２３の構造において、第１実施形態の太陽電池アレイとは相違する。
【００４６】
本実施形態においては、支持レール２３の中空部２３ｃがレール溝２３ａの長手方向に対して直交する方向で切断した断面が四角形の閉断面である。中空部２３ｃのねじり剛性は、G＊J  （G：横弾性係数、J：ねじり定数）であらわされる。なお、＊は掛算の記号である。
【００４７】
Gは材質に依存することから、ねじり剛性を向上するためには、構造に依存するねじり定数を向上する必要がある。
【００４８】
ここで、中空三角断面および中空四角断面のねじり定数は下式で表される。なお各パラメータの位置を図７に示す。図７に示すように、ａ１は三角形の外側の幅を示し、ａ２は内側の幅を示す。また、ｂ１およびｂ２はそれぞれ四角形の外側の幅を示し、ｔ１、ｔ２、ｔ３およびｔ４はそれぞれ外側の幅と内側の幅との差（厚み）を示す。
【００４９】
Ｊ（中空三角断面）＝（√３）／８０＊ａ１４−（√３）／８０＊ａ２４
Ｊ（中空四角断面）＝（１／３）＊（ｂ１ｔ１３＋ｂ１ｔ２３＋ｂ２ｔ３３＋ｂ２ｔ４３）
＋４＊（ｂ１ｂ２）２／（ｂ１／ｔ１＋ｂ１／ｔ２＋ｂ２／ｔ３＋ｂ２／ｔ４）
上式より、中空部２３ｃを同様の板厚で、ほぼ同じ大きさの中空三角断面と中空四角断面を形成した場合、中空四角断面の方が大幅にねじり定数が大きくなり、中空三角断面の場合に比較して、中空四角断面の場合、ねじり剛性が約２倍となる。
【００５０】
このことにより、太陽電池アレイ１の軒先側の強度を大幅に高めることができる。
【００５１】
なお、意匠性を高めるために、中空部の軒先側に斜辺を設けて中空部２３ｃの断面形状を台形状としてもよい。
【００５２】
＜＜第３実施形態＞＞
次に、第３実施形態に係る太陽電池アレイについて、図６（ｂ）を用いて説明する。
【００５３】
図６（ｂ）に示すように、第３実施形態の太陽電池アレイは、支持レール２３の構造において、第１実施形態および第２実施形態の太陽電池アレイとは相違する。
【００５４】
本実施形態においては、支持レール２３のレール溝２３ａの開口部において図示の下向きに傾斜した傾斜面を有する傾斜部２３ｅを備えている。このように、太陽電池モジュールの一側部をレール溝２３ａ内に誘導する傾斜部２３ｅを設けたことにより、第１太陽電池モジュール３ａの軒側フレーム１２ｅをレール溝２３ａの開口部に嵌入するに従って、軒側フレーム１２ｅがレール溝２３ａにより締め付けられる構造となる。また屈曲部２３ｇを設けたことにより、屈曲部２３ｇがバネの役割をはたして、適切な力でレール溝２３ａが軒側フレーム１２ｅを締め付けることができる。強風時に第１太陽電池モジュール３ａがレール溝２３ａとの隙間で振動して、家屋内に不快な振動が伝わるのを抑制することができる。
【００５５】
＜＜第４実施形態＞＞
次に、第４実施形態に係る太陽電池アレイについて、図６（ｃ）を用いて説明する。
【００５６】
図６（ｃ）に示すように、本実施形態に係る太陽電池アレイは、支持レールの構造において第１の実施形態から第３の実施形態と相違する。
【００５７】
本実施形態においては、支持レール２３の上側の表面に、レール溝２３ａの長手方向に沿って、支持レール２３の上方に向けて雪止め用の突出部である第３凸部２３ｆを有している。このような第３凸部２３ｆを設けたことにより、太陽電池アレイ１上に降り積もった雪が勢いよく滑落するのを抑制する雪止めとすることができる。また支持レールは、前述のようにねじれ剛性を高めた構造であることから、太陽電池アレイ１の破損を生じることなく雪止めをすることができる。
【００５８】
以上、本発明に係る実施形態を例示したが、本発明は上述した実施形態に限定されるものではなく、例えば、屋根以外の傾斜した種々の外壁または建造物に対して本発明を適用してもよいなど、本発明の目的を逸脱しない限り任意のものに適宜変更実施が可能であることはいうまでもない。
【符号の説明】
【００５９】
１：太陽電池アレイ
２：基体
２ａ：葺板
２ｂ：野地板
２ｃ：垂木
３：太陽電池モジュール
３ａ：第１太陽電池モジュール
３ｂ：第２太陽電池モジュール
４：固定部材
５：軒側部材
１１：太陽電池パネル
１１ａ：受光面
１１ｂ：非受光面
１２：フレーム
１２ａ：嵌合部
１２ｂ：フレーム上面
１２ｃ：フレーム下面
１２ｄ：フレーム側面
１２ｅ：軒側フレーム
１３：裏面保護部材
１４：透光性基板
１５：封止材
１６：インナーリード
１７：太陽電池素子
１８：端子ボックス
２０：粘着部材
２１：木ねじ
２２：ベース部材（支持台）
２２ａ：主面
２２ｂ：貫通孔
２２ｃ：載置部
２２ｄ：間隙
２２ｅ：第１凸部
２３：支持レール
２３ａ：レール溝
２３ｂ：被挟持部
２３ｃ：中空部
２３ｄ：凹部
２３ｅ：傾斜部
２３ｆ：第３凸部
２３ｇ：屈曲部
２４：締結部材
２４ａ：ボルト
２４ｂ：ボルト止め
２５：係合部材
２５ａ：ストッパー部
２５ｂ：Ｕ字孔
２５ｃ：挟持部
２５ｄ：第２凸部
３１：下部材
３２：中部材
３３：上部材
３４：第２締結部材
３５：第２木ねじ
３６：第２粘着部材
【図１】
0005574930.tif 000002
【図２】
0005574930.tif 000003
【図３】
0005574930.tif 000004
【図４】
0005574930.tif 000005
【図５】
0005574930.tif 000006
【図６】
0005574930.tif 000007
【図７】
0005574930.tif 000008